(57)【要約】  表示制御システムは、ユーザが操作する端末と別に設けられ、該ユーザにより視認可能な表示画面にコンテンツを表示させる表示制御システムであって、ユーザの端末の向き及び傾きを含む姿勢情報を取得する取得手段と、姿勢情報及び表示画面の向きに基づいて、コンテンツに関連するコンテンツ関連情報の表示位置を算出する算出手段と、表示画面における、算出手段により算出された表示位置にコンテンツ関連情報を表示させる表示制御手段と、を備える。
2017154114.tif 000002
【特許請求の範囲】
【請求項１】
ユーザが操作する端末と別に設けられ、該ユーザにより視認可能な表示画面にコンテンツを表示させる表示制御システムであって
前記ユーザが操作する端末の向き及び傾きを含む姿勢情報を取得する取得手段と、
前記姿勢情報及び前記表示画面の向きに基づいて、前記コンテンツに関連するコンテンツ関連情報の表示位置を算出する算出手段と、
前記表示画面における、前記算出手段により算出された前記表示位置に前記コンテンツ関連情報を表示させる表示制御手段と、
を備える表示制御システム。
【請求項２】
前記算出手段は、前記姿勢情報及び前記表示画面の向きに基づいて、所定の基準位置からのオフセットを含む表示位置を算出する、
請求項１に記載の表示制御システム。
【請求項３】
前記表示位置は、前記基準位置より前記端末の位置に近い位置である、請求項２に記載の表示制御システム。
【請求項４】
前記算出手段は、前記端末の位置情報を用いずに前記表示位置を算出する、請求項２または３に記載の表示制御システム。
【請求項５】
前記表示画面における位置を示すための指示情報を前記端末から取得する指示情報取得手段、をさらに備え、
前記算出手段は、前記表示画面に予め配置された１以上のコンテンツ領域のうち、前記指示情報に基づき選択されたコンテンツ領域に対応するコンテンツ関連情報の表示位置を算出し、
前記表示制御手段は、前記指示情報に基づき選択されたコンテンツ領域に対応するコンテンツ関連情報を、前記算出手段により算出された前記表示位置に表示させる、
請求項２〜４のいずれか一項に記載の表示制御システム。
【請求項６】
前記基準位置は、前記指示情報により規定される、
請求項５に記載の表示制御システム。
【請求項７】
前記基準位置は、前記指示情報により制御されるカーソルの位置、または、前記カーソルにより指定された前記コンテンツ領域の位置である、
請求項６に記載の表示制御システム。
【請求項８】
前記表示画面における、前記コンテンツ関連情報を表示させない領域である表示禁止領域を設定する設定手段をさらに備え、
前記表示制御手段は、前記表示禁止領域以外の領域に前記コンテンツ関連情報を表示させるように前記表示位置を調整する、
請求項１〜７のいずれか一項に記載の表示制御システム。
【請求項９】
前記設定手段は、前記表示画面における、前記表示画面上に設けられた物体に対応する物体領域を前記表示禁止領域として設定する
請求項８に記載の表示制御システム。
【請求項１０】
前記設定手段は、前記物体領域に加えて、前記表示画面上において、前記表示画面に対して垂直方向の前記物体の厚みに起因して前記端末の位置から視認不可能になる領域である遮蔽領域を、さらに前記表示禁止領域として設定する、
請求項９に記載の表示制御システム。
【請求項１１】
前記表示制御手段は、前記コンテンツ関連情報が前記表示画面上において互いに重ならないようにコンテンツ関連情報の表示位置を調整する、
請求項１〜１０のいずれか一項に記載の表示制御システム。
【請求項１２】
前記算出手段は、複数の前記端末から取得した姿勢情報に基づいて、前記表示画面の向きを算出し、算出した表示画面の向きに基づいて、前記端末の前記表示画面に対する相対的な向きを算出する、
請求項１〜１１のいずれか一項に記載の表示制御システム。
【請求項１３】
ユーザが操作する端末と別に設けられ、該ユーザにより視認可能な表示画面にコンテンツを表示させる表示制御システムにおける表示制御方法であって、
前記ユーザが操作する端末の向き及び傾きを含む姿勢情報を取得する取得ステップと、
前記姿勢情報及び前記表示画面の向きに基づいて、前記コンテンツに関連するコンテンツ関連情報の表示位置を算出する算出ステップと、
前記表示画面における、前記算出ステップにおいて算出された前記表示位置に前記コンテンツ関連情報を表示させる表示制御ステップと、
を有する表示制御方法。
【請求項１４】
コンピュータを、ユーザが操作する端末と別に設けられ、該ユーザにより視認可能な表示画面にコンテンツを表示させる表示制御システムとして機能させる表示制御プログラムであって、
前記ユーザが操作する端末の向き及び傾きを含む姿勢情報を取得する取得手段、
前記姿勢情報及び前記表示画面の向きに基づいて、前記コンテンツに関連するコンテンツ関連情報の表示位置を算出する算出手段、及び、
前記表示画面における、前記算出手段により算出された前記表示位置に前記コンテンツ関連情報を表示させる表示制御手段、
として機能させる表示制御プログラム。
【発明の詳細な説明】
【技術分野】
【０００１】
本発明の一側面は、表示制御システム、表示制御方法及び表示制御プログラムに関する。
【背景技術】
【０００２】
ユーザにより視認可能な環境に表示装置を設け、コンテンツを表示装置に表示させることが行われている。このような表示装置にコンテンツを表示させるシステムは、例えば、デジタルサイネージと称され、複数の商品広告等の表示に用いられる。また、モバイル機器（端末）の操作により、複数のユーザが見ることができる大型のディスプレイ上のコンテンツの操作及び選択が可能なシステムが知られている（例えば、特許文献１参照）。また、撮影画像に映った物体に関する付加情報を表示させる際に、複数の付加情報が互いに重ならないように表示させる技術が知られている（例えば、特許文献２参照）。
【先行技術文献】
【特許文献】
【０００３】
【特許文献１】特開２０１１−５４１６２号公報
【特許文献２】特開２０１５−１３８４２８公報
【発明の概要】
【発明が解決しようとする課題】
【０００４】
しかしながら、従来の技術では、ユーザの操作により表示されるコンテンツ等は、例えば、商品等の表示位置との位置関係に基づく所定の位置に表示されていた。即ち、コンテンツ等は、ユーザとの位置関係やユーザの身長等を考慮することなく表示されていたので、ユーザにとってコンテンツ等の情報を見難い場合があった。【０００５】
そこで本発明の一側面は、ユーザにより視認可能に設けられた表示装置に表示されたコンテンツをユーザが操作しうるシステムにおいて、ユーザの操作により表示される情報を、ユーザが視認しやすいように表示することを目的とする。
【課題を解決するための手段】
【０００６】
上記課題を解決するために、本発明の一形態に係る表示制御システムは、ユーザが操作する端末と別に設けられ、該ユーザにより視認可能な表示画面にコンテンツを表示させる表示制御システムであって、端末の向き及び傾きを含む姿勢情報を取得する取得手段と、姿勢情報及び表示画面の向きに基づいて、コンテンツに関連するコンテンツ関連情報の表示位置を算出する算出手段と、表示画面における、算出手段により算出された表示位置にコンテンツ関連情報を表示させる表示制御手段と、を備える。【０００７】
本発明の一形態に係る表示制御方法は、ユーザが操作する端末と別に設けられ、該ユーザにより視認可能な表示画面にコンテンツを表示させる表示制御システムにおける表示制御方法であって、端末の向き及び傾きを含む姿勢情報を取得する取得ステップと、姿勢情報及び表示画面の向きに基づいて、コンテンツに関連するコンテンツ関連情報の表示位置を算出する算出ステップと、表示画面における、算出ステップにおいて算出された表示位置にコンテンツ関連情報を表示させる表示制御ステップと、を有する。【０００８】
本発明の一形態に係る表示制御プログラムは、コンピュータを、ユーザが操作する端末と別に設けられ、該ユーザにより視認可能な表示画面にコンテンツを表示させる表示制御システムとして機能させる表示制御プログラムであって、端末の向き及び傾きを含む姿勢情報を取得する取得手段、姿勢情報及び表示画面の向きに基づいて、コンテンツに関連するコンテンツ関連情報の表示位置を算出する算出手段、及び、表示画面における、算出手段により算出された表示位置にコンテンツ関連情報を表示させる表示制御手段、として機能させる。【０００９】
上記側面によれば、ユーザが操作する端末の向き及び傾き並びに表示画面の向きに基づいて、コンテンツ関連情報の適切な表示位置が算出される。これにより、コンテンツ関連情報をユーザに視認しやすい位置に表示させることが可能となる。【００１０】
別の側面に係る表示制御システムでは、算出手段は、姿勢情報及び表示画面の向きに基づいて、所定の基準位置からのオフセットを含む表示位置を算出してもよい。【００１１】
上記側面によれば、表示位置は、所定の基準位置からオフセットされた位置であるので、コンテンツをユーザに視認しやすい位置に表示させることが可能となる。【００１２】
別の側面に係る表示制御システムでは、表示位置は、基準位置より端末の位置に近い位置であることとしてもよい。【００１３】
上記側面によれば、表示位置が所定の基準位置からオフセットされた位置になることにより、基準位置より端末に近い位置にコンテンツ関連情報が表示される。このため、コンテンツ関連情報は、基準位置よりユーザに近い位置に表示される。従って、コンテンツ関連情報をユーザに視認しやすい位置に表示させることが可能となる。【００１４】
さらに別の側面に係る表示制御システムでは、算出手段は、端末の位置情報を用いずに表示位置を算出することとしてもよい。【００１５】
この側面によれば、端末における位置情報の取得、端末から当該表示制御システムへの位置情報の送信、及び、位置情報に基づく算出処理を必要としないので、端末及び当該表示制御システムにおける処理負荷の軽減が可能となる。【００１６】
さらに別の側面に係る表示制御システムでは、表示画面における位置を示すための指示情報を端末から取得する指示情報取得手段、をさらに備え、算出手段は、表示画面に予め配置された１以上のコンテンツ領域のうち、指示情報に基づき選択されたコンテンツ領域に対応するコンテンツ関連情報の表示位置を算出し、表示制御手段は、指示情報に基づき選択されたコンテンツ領域に対応するコンテンツ関連情報を、算出手段により算出された表示位置に表示させることとしてもよい。【００１７】
上記側面によれば、端末における操作に基づく指示情報が取得され、指示情報に基づき選択されたコンテンツ領域対応するコンテンツ関連情報が表示される。これにより、コンテンツ領域に示される事項に関連するコンテンツ関連情報を表示させることができる。【００１８】
さらに別の側面に係る表示制御システムでは、基準位置は、指示情報により規定されることとしてもよい。【００１９】
上記側面によれば、指示情報により規定される位置からオフセットされた位置にコンテンツ関連情報が表示される。【００２０】
さらに別の側面に係る表示制御システムでは、基準位置は、指示情報により制御されるカーソルの位置、または、カーソルにより指定されたコンテンツ領域の位置であることとしてもよい。【００２１】
上記側面によれば、指示情報により制御されるカーソルの位置またはカーソルにより指定されたコンテンツ領域の位置からオフセットされた位置にコンテンツ関連情報が表示される。【００２２】
さらに別の側面に係る表示制御システムでは、表示画面における、コンテンツ関連情報を表示させない領域である表示禁止領域を設定する設定手段をさらに備え、表示制御手段は、表示禁止領域以外の領域にコンテンツ関連情報を表示させるように表示位置を調整することとしてもよい。【００２３】
上記側面によれば、コンテンツ関連情報は表示禁止領域以外に表示されるので、コンテンツ関連情報を表示させたくない所望の領域にコンテンツ関連情報を表示させないことにより、コンテンツ関連情報の視認性の向上を図ることができる。【００２４】
さらに別の側面に係る表示制御システムでは、設定手段は、表示画面における、表示画面上に設けられた物体に対応する物体領域を表示禁止領域として設定することとしてもよい。【００２５】
上記側面によれば、表示画面上に物体を配置させ、当該物体に対応する領域が表示禁止領域として設定されるので、コンテンツ関連情報を物体に重畳させないで表示させることが可能となる。【００２６】
さらに別の側面に係る表示制御システムでは、設定手段は、物体領域に加えて、表示画面上において、表示画面に対して垂直方向の物体の厚みに起因して端末の位置から視認不可能になる領域である遮蔽領域を、さらに表示禁止領域として設定することとしてもよい。【００２７】
上記側面によれば、表示画面上に配置された物体の厚みに起因して表示画面上においてユーザから視認不可能となる領域以外に、コンテンツ関連情報が表示されることとなるので、コンテンツ関連情報の視認性が向上される。【００２８】
さらに別の側面に係る表示制御システムでは、表示制御手段は、コンテンツ関連情報が表示画面上において互いに重ならないようにコンテンツ関連情報の表示位置を調整することとしてもよい。【００２９】
上記側面によれば、一のコンテンツ関連情報の上に他のコンテンツ関連情報が重畳されることがないので、各コンテンツの視認性が向上される。【００３０】
さらに別の側面に係る表示制御システムでは、算出手段は、複数の端末から取得した姿勢情報に基づいて、表示画面の向きを算出し、算出した表示画面の向きに基づいて、端末の表示画面に対する相対的な向きを算出することとしてもよい。【００３１】
上記側面によれば、複数の端末の姿勢情報に基づいて表示画面の向きが算出されるので、表示画面の向きをシステムに予め設定する必要がない。従って、表示画面の向きに関する情報の入力の手間が軽減されると共に、入力された情報を記憶するための記憶手段が不要となる。
【発明の効果】
【００３２】
本発明の一側面によれば、ユーザにより視認可能に設けられた表示装置に表示されたコンテンツを複数のユーザが操作しうるシステムにおいて、ユーザの操作により表示される情報を、ユーザが視認しやすいように表示することが可能となる。
【図面の簡単な説明】
【００３３】
【図１】本実施形態に係る表示制御システムの装置構成を示す図である。
【図２】表示制御装置の機能的構成を示すブロック図である。
【図３】表示制御装置のハードウェア構成を示す図である。
【図４】端末の機能的構成を示すブロック図である。
【図５】従来のコンテンツ関連情報の表示制御の例を示す図である。
【図６】本実施形態におけるコンテンツ関連情報の表示制御の例を示す図である。
【図７】表示位置の算出の具体例を示す図である。
【図８】式（４）に示す関数を説明する図である。
【図９】表示禁止領域の設定及び表示禁止領域を考慮した表示制御について説明する図である。
【図１０】表示画面上に設けられた物体の厚みに起因して、ユーザから視認不可能になる領域を表示禁止領域として設定する設定処理を説明する図である。
【図１１】遮蔽領域の横方向の長さの算出の例を説明する図である。
【図１２】表示制御方法の処理内容の例を示すフローチャートである。
【図１３】表示制御プログラムの構成を示す図である。
【発明を実施するための形態】
【００３４】
以下、添付図面を参照しながら本発明の実施形態を詳細に説明する。なお、図面の説明において同一又は同等の要素には同一の符号を付し、重複する説明を省略する。
【００３５】
図１は、本実施形態に係る表示制御システムの装置構成を示す図である。本実施形態の表示制御システム１は、ユーザにより視認可能な表示画面にコンテンツを表示させるシステムである。図１に示すように、表示制御システム１は、表示制御装置１０及び表示装置Ｄを含む。また、表示制御装置１０は、ネットワークＮを介して電子商取引サーバ５０及び複数の端末Ｔと通信可能に構成されている。本実施形態の、表示制御システム１は、ユーザが操作する端末Ｔと別に設けられた表示装置Ｄの表示画面にコンテンツを表示させる。
【００３６】
表示装置Ｄは、例えば、デジタルサイネージを構成し、複数の端末Ｔのユーザが視認可能な場所に設けられる表示画面を有する。デジタルサイネージは、画像及び文字等の情報を表示して、多くのユーザに情報を提供するためのものである。本実施形態では、表示装置Ｄにより構成されるデジタルサイネージは、端末Ｔのユーザに種々の情報を提供する。
【００３７】
表示制御装置１０は、表示装置Ｄの表示制御を行う。具体的には、表示制御装置１０は、表示装置Ｄに種々のコンテンツを表示させることができる。また、本実施形態の表示制御装置１０は、端末Ｔのウェブブラウザにコンテンツを提供するウェブサーバとしての機能を有する。即ち、表示制御装置１０は、端末Ｔにおける指示入力を受け付けると共に、端末Ｔに設けられたディスプレイにコンテンツを表示させることができる。端末Ｔにおける指示入力は、例えばタッチパネルにより構成される表示装置に対する入力である。なお、本実施形態では、表示制御装置１０がウェブサーバとしての機能を有することとしているが、ネットワークを介して表示制御装置１０及び端末Ｔと通信可能な別のサーバにウェブサーバとしての機能が構成されてもよい。
【００３８】
電子商取引サーバ５０は、商品の販売等のサービスを提供する電子商取引サイトを構成するサーバであって、種々の商品に関する商品情報及び商品の画像等を有する。本実施形態では、電子商取引サーバ５０は、商品情報及び商品画像等を表示制御装置１０に提供する。
【００３９】
端末Ｔは、ユーザにより所持される装置であって、例えば、デジタルサイネージに表示されたコンテンツに対する指示入力を表示制御装置１０に送信する。端末Ｔは、例えば高機能携帯電話機（スマートフォン）により構成されるが、端末Ｔを構成する装置は限定されず、例えば携帯電話機、携帯情報端末（ＰＤＡ）などの携帯端末、据置型又は携帯型のパーソナルコンピュータでもよい。なお、図１では、３台の端末Ｔが示されているが、端末Ｔの数はこれに限定されない。
【００４０】
図２は、表示制御装置１０の機能的構成を示すブロック図である。表示制御装置１０は、例えば、サーバにより構成される。
【００４１】
本実施形態の表示制御装置１０は、図２に示すように、機能的には、取得部１１（取得手段）、指示情報取得部１２（指示情報取得手段）、算出部１３（算出手段）、設定部１４（設定手段）及び表示制御部１５（表示制御手段）を備える。また、表示制御装置１０の各機能部は、設定情報記憶部１７といった記憶手段にアクセス可能である。設定情報記憶部１７は、表示制御装置１０によりネットワークＮを介してアクセスされることとしてもよいし、表示制御装置１０内に設けられることとしてもよい。
【００４２】
図３は、表示制御装置１０のハードウェア構成図である。表示制御装置１０は、物理的には、図３に示すように、プロセッサにより構成されるＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４、入力デバイスであるキーボード、マウス等の入力装置１０５、ディスプレイ等の出力装置１０６などを含むコンピュータシステムとして構成されている。
【００４３】
図２に示した各機能は、図３に示すＣＰＵ１０１、主記憶装置１０２等のハードウェア上に所定のコンピュータソフトウェア（表示制御プログラム）を読み込ませることにより、ＣＰＵ１０１の制御のもとで通信制御装置１０４、入力装置１０５、出力装置１０６を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００４４】
まず、本実施形態の表示制御システム１を概略的に説明する。本実施形態の表示制御システム１では、表示制御装置１０は、デジタルサイネージを構成する表示装置Ｄに複数の商品画像の一覧をコンテンツとして表示させる。具体的には、電子商取引サーバ５０は種々の商品情報及び商品画像等を有しているので、表示制御部１５は、電子商取引サーバ５０から商品情報及び商品画像を複数取得して、表示装置Ｄに表示させる。
【００４５】
表示装置Ｄにより表示された表示画面を視聴しているユーザは、自分が所持する端末Ｔを用いて表示制御装置１０にアクセスすることにより、表示画面に表示された商品に関するコンテンツ関連情報を表示画面に表示させたり、端末Ｔに表示させたりすることができる。
【００４６】
端末Ｔにおける表示制御装置１０へのアクセスは、例えば端末Ｔにおいて実行されるブラウザにより実現される。端末Ｔのブラウザは、表示制御装置１０に対するアクセスを行う。具体的には、端末Ｔのブラウザは、本実施形態の表示制御システムによる商品に関する情報の提供等のサービスを特定するＵＲＬにアクセスする。このＵＲＬは、種々の方法により端末Ｔに提供される。例えば、ＵＲＬを示すＱＲコード（登録商標）を表示装置Ｄの表示画面に表示させ、表示されたＱＲコードを端末Ｔが読み取ることにより、端末ＴはＵＲＬを取得する。
【００４７】
また、ＵＲＬを表す情報が重畳された音声を、表示装置Ｄの近傍において発生させることにより、端末ＴにＵＲＬを取得させることとしてもよい。また、端末Ｔから所定の電話番号に対するアクセスを行うと、そのアクセスに呼応してＳＭＳ（Ｓｈｏｒｔ  Ｍｅｓｓａｇｅ  Ｓｅｒｖｉｃｅ）等の通知手段により端末ＴにＵＲＬが提供されることとしてもよい。
【００４８】
また、表示装置Ｄの近傍に存在する端末Ｔに対して、ブルートゥース（Ｂｌｕｅｔｏｏｔｈ）（登録商標）等の近距離無線通信により、ＵＲＬが提供されることとしてもよい。この場合には、端末Ｔは、近距離無線通信により表示制御装置１０を識別するＩＤを取得する。そして、端末Ｔは、取得したＩＤに基づいて、当該表示制御システムに係るサービスを利用するためのアプリケーションにおいて管理されているＩＤとＵＲＬの関連付けを参照して、ＵＲＬを取得できる。
【００４９】
なお、上記説明では、端末Ｔは、ブラウザにおいて実行されるブラウザアプリケーションにより表示制御装置１０に対してアクセスすることとしているが、専用のアプリケーションにより表示制御装置１０に対するアクセスを行うこととしてもよい。端末Ｔは、例えばＷｉ−Ｆｉといった通信方式を介して、表示制御装置１０にアクセスする。また、端末Ｔは、ブルートゥース（Ｂｌｕｅｔｏｏｔｈ）（登録商標）等の近距離無線通信により、表示制御装置１０にアクセスすることとしてもよく、端末Ｔと表示制御装置１０とのアクセスの通信方式は限定されない。
【００５０】
図４は、端末Ｔの機能的構成を示すブロック図である。端末Ｔは、指示入力受付部３１、姿勢情報取得部３２、送信部３３、表示制御部３４及びディスプレイＴＰを備える。ディスプレイＴＰは、例えばタッチパネルにより構成される。
【００５１】
指示入力受付部３１は、ディスプレイＴＰを介してユーザにより入力された指示入力を受け付ける。本実施形態の指示入力受付部３１は、表示装置Ｄの表示画面に表示されるカーソルを操作するための、タッチパネルに対する入力操作を指示情報として受け付ける。具体的には、端末Ｔのユーザがタッチパネルに対する操作を行うと、その操作を示す指示情報が表示制御装置１０に送信されることにより、表示装置Ｄの表示画面に表示されたカーソルの位置を移動させることができる。また、指示入力受付部３１は、表示装置Ｄの表示画面に表示された商品画像等のコンテンツを選択する選択操作を指示情報として受け付ける。
【００５２】
姿勢情報取得部３２は、端末Ｔの向き及び傾きを含む姿勢情報を取得する。具体的には、端末Ｔの向きは、例えば、水平面に対して垂直なＺ軸を回転軸とする端末Ｔの回転角（端末Ｔのヨー角）であって、北方向を０ｒａｄとして、南方向をπｒａｄとして表される。また、端末Ｔの傾きは、例えば、水平面に平行であって、且つ、例えば端末Ｔのディスプレイ面に沿うＹ軸を回転軸とする端末Ｔの回転角（端末Ｔのピッチ角）であって、例えば、端末Ｔの所定状態（例えばディスプレイの表示面が水平面に対して垂直の状態）を０ｒａｄとして表される。端末Ｔの向き及び傾きは、端末Ｔに備えられた電子コンパス、加速度センサ及びジャイロセンサ等のセンサにより検出される。姿勢情報取得部３２は、これらのセンサから端末Ｔの向き及び傾きを取得する。
【００５３】
送信部３３は、指示入力受付部３１により受け付けられた指示入力に関する指示情報及び姿勢情報取得部３２により取得された姿勢情報を表示制御装置１０に送信する。
【００５４】
表示制御部３４は、表示装置Ｄの表示画面に表示されたカーソルを操作するためのユーザインターフェース画面をディスプレイに表示させる。また、表示制御部３４は、表示制御装置１０及び電子商取引サーバ５０等から提供された種々の情報をディスプレイＴＰに表示させてもよい。
【００５５】
再び図２を参照して、表示制御装置１０の各機能部を説明する。取得部１１は、ユーザが操作する端末Ｔの向き及び傾きを含む姿勢情報を取得する。前述のとおり、端末Ｔにおいて姿勢情報が取得され、取得された姿勢情報が送信されるので、取得部１１は、端末Ｔから送信された姿勢情報を取得する。
【００５６】
指示情報取得部１２は、表示装置Ｄの表示画面における位置を示すための指示情報を端末Ｔから取得する。指示情報は、表示装置Ｄの表示画面に表示されるカーソルを操作するための、タッチパネルに対する入力操作を示す情報である。
【００５７】
算出部１３は、姿勢情報及び表示画面の向きに基づいて、コンテンツに関連するコンテンツ関連情報の表示位置を算出する。ここで、表示画面の向きに関する情報は、表示制御装置１０の内部または表示制御装置１０がアクセス可能な記憶手段に記憶されている。さらに、具体的には、算出部１３は、姿勢情報及び表示画面の向きに基づいて、コンテンツ関連情報の表示位置に関する所定の基準位置からのオフセットを含む表示位置を算出する。基準位置は、表示装置の表示画面における、指示情報により規定される位置である。基準位置は、例えば、指示情報により示されるカーソルの位置である。また、基準位置は、表示画面に設定されたコンテンツ領域のうち、カーソルにより指定されたコンテンツ領域の位置であってもよい。なお、コンテンツ領域は、表示画面における、例えば商品画像等の各コンテンツが表示された領域、または、後述するように、実物の商品等の物体を配置した領域である。算出部１３は、姿勢情報及び表示画面の向きに基づいて、基準位置からオフセットされた位置を表示位置として算出する。表示位置の算出については、後に詳述する。
【００５８】
設定部１４は、表示装置Ｄの表示画面における表示禁止領域を設定する。表示禁止領域は、コンテンツ関連情報を表示させない領域である。表示禁止領域の設定については、後に詳述する。
【００５９】
表示制御部１５は、算出部１３により算出された表示位置にコンテンツ関連情報を表示させる。表示制御部１５は、例えば、電子商取引サーバ５０から取得した商品画像等のコンテンツを表示画面に表示させる。各商品画像が表示されている領域は、コンテンツ領域として設定される。また、表示画面上に配置された物体に対応する表示画面上の領域がコンテンツ領域として設定される。算出部１３が、表示画面に配置された１以上のコンテンツ領域のうち、指示情報に基づき選択されたコンテンツ領域に対応するコンテンツ関連情報の表示位置を算出すると、表示制御部１５は、コンテンツ領域に対応するコンテンツ関連情報を、算出部１３により算出された表示位置に表示させる。コンテンツ領域に対応するコンテンツ関連情報は、例えば、表示画面上に配置された物体や商品画像に関連する情報である。
【００６０】
図５は、従来のコンテンツ関連情報の表示制御の例を示す図である。図５に示すように、表示画面ＤＳには、商品画像Ｍが表示されている。
【００６１】
ユーザＵ１が自身が所持する端末を操作することによりカーソルＣＲ１が操作され、カーソルＣＲ１により商品画像Ｍが選択されると、商品画像Ｍに関するコンテンツ関連情報Ｃ０１が表示される。従来のシステムでは、コンテンツ関連情報は、例えば、商品画像Ｍの位置を基準位置として、その右側に表示される。
【００６２】
また、ユーザＵ２，Ｕ３がそれぞれが所持する端末を操作することによりカーソルＣＲ２，ＣＲ３が操作され、カーソルＣＲ２，ＣＲ３により商品画像Ｍが選択されると、商品画像Ｍに関するコンテンツ関連情報Ｃ０２，Ｃ０３が表示される。
【００６３】
このように、従来のシステムでは、コンテンツ関連情報Ｃ０１，Ｃ０２，Ｃ０３は、商品画像Ｍの右側という所定の位置に表示され、ユーザＵ１，Ｕ２，Ｕ３のそれぞれとの位置関係や身長が考慮されない位置に表示される。このため、ユーザＵ１，Ｕ２，Ｕ３のそれぞれは、コンテンツ関連情報Ｃ０１，Ｃ０２，Ｃ０３を見難い場合があった。
【００６４】
図６は、本実施形態におけるコンテンツ関連情報の表示制御の例を示す図である。図６に示すように、表示画面ＤＳには、商品画像Ｍが表示されている。
【００６５】
ユーザＵ１により、自身が所持する端末Ｔが操作されると、かかる操作に基づく指示情報が指示情報取得部１２により取得される。取得された指示情報に基づきカーソルＣＲ１が操作され、カーソルＣＲ１により商品画像Ｍが選択されると、取得部１１は、ユーザＵ１が操作する端末Ｔの向き及び傾きを含む姿勢情報を、当該端末Ｔから取得する。算出部１３は、姿勢情報及び表示画面ＤＳの向きに基づいて、商品画像Ｍに関連するコンテンツ関連情報Ｃ１１の表示位置を算出する。
【００６６】
図７は、表示位置の算出の具体例を示す図である。具体的には、図７に示す例では、表示画面ＤＳの横方向をＸ軸とし、縦方向をＹ軸として、表示位置のＸ座標（ｘ’）の算出の例が示される。図７に示すように、表示画面ＤＳにおけるカーソルの位置を位置ＰＣＲとし、算出する表示位置を位置ＰＣとする。また、北方向を０ｒａｄとして、表示画面ＤＳの背面方向の向きを角度θｗａｌｌとし、端末Ｔの向きを角度θｕｓｅｒとすると、表示画面ＤＳの向きに対する端末Ｔの向きを示す角度θｃｕｒｓｏｒは、以下の式（１）で表される。なお、表示画面ＤＳの背面方向の向きを角度θｗａｌｌは、例えば既知の値として、予めシステムに入力される。
θｃｕｒｓｏｒ＝θｗａｌｌ−θｕｓｅｒ  ・・・（１）
【００６７】
また、カーソルＣＲ１のＸ座標をｘとすると、表示位置のＸ座標（ｘ’）は以下の式（２）で表される。
ｘ’＝ｘ＋ｄｘ  ・・・（２）
式（２）におけるｄｘは、所定の基準位置に対する表示位置のＸ座標におけるオフセットである。即ち、図７に示す例では、カーソルＣＲ１の位置をコンテンツ関連情報の表示位置に関する所定の基準位置としている。式（２）におけるｄｘは、表示画面ＤＳの向きに対する端末Ｔの向きの関数として、以下の式（３）にように表される。
ｄｘ＝ｆｘ（θｃｕｒｓｏｒ）＝ｆｘ（θｗａｌｌ−θｕｓｅｒ）  ・・・（３）
【００６８】
そして、式（３）により示される関数ｆｘには、システムの設計により種々の関数を適用できる。例えば、関数ｆｘは、図８及び式（４）に示すような関数であってもよい。
ｆｘ（θｃｕｒｓｏｒ）＝ｌ／２＋Ａｌｓｉｎ（θｃｕｒｓｏｒ）  ・・・（４）
図８は、式（４）に示す関数を説明する図である。式（４）及び図８において、長さｌは、商品画像ＭのＸ軸方向の幅であり、係数Ａは、コンテンツ関連情報の表示位置を調整する所定の係数である。
図８に示すように、オフセットｄｘを以下の式（５）のように表すと、
ｄｘ＝ｌ／２＋Ａｊ  ・・・（５）
商品画像の端部からコンテンツ関連情報の表示位置ＰＣまでの距離Ａｊは、式（６）により表される。
Ａｊ＝Ａｌｓｉｎ（θｃｕｒｓｏｒ）  ・・・（６）
【００６９】
即ち、式（６）から判るように、コンテンツ関連情報の表示位置のＸ座標は、ユーザの端末Ｔの向きθｕｓｅｒに応じて、商品画像Ｍの端部（例えば右端部）から、商品画像Ｍの幅ｌのＡ倍の長さだけ離れた位置までの間に設定される。なお、図８では、説明の便宜のため、コンテンツ関連情報の表示位置のＸ座標（ｘ’）を、カーソルＣＲ１の位置のＸ座標（ｘ）に対して、Ｘ軸の正方向にオフセットｄｘを加えた位置として示しているが、角度θｃｕｒｓｏｒが例えば３π／２＜θｃｕｒｓｏｒ＜２πである場合には、オフセットｄｘは負の値となり、コンテンツ関連情報の表示位置はカーソルの位置の左側にオフセットされる。また、コンテンツ関連情報の表示位置の座標は、コンテンツの中央部、左端部、右端部等の任意の部分の座標でよい。
【００７０】
以上のように表示位置が算出されるので、コンテンツ関連情報Ｃ１１の表示位置は、「商品画像Ｍの右側」やカーソルＣＲ１の位置等の基準位置ではなく、カーソルＣＲ１の位置からオフセットされた位置になり、カーソルＣＲ１の位置より端末Ｔに近い位置となる。これにより、コンテンツ関連情報Ｃ１１は、カーソルＣＲ１やカーソルＣＲ１に指定された商品画像Ｍの位置よりユーザＵ１に近い位置に表示される。従って、コンテンツ関連情報Ｃ１１をユーザに視認しやすい位置に表示させることが可能となる。
【００７１】
また、以上説明したように、コンテンツ関連情報の表示位置の算出には、例えばＧＰＳ装置等により取得される端末Ｔの位置を示す位置情報を必要としない。これにより、端末Ｔにおける位置情報の取得、端末Ｔから表示制御装置１０への位置情報の送信、及び、位置情報に基づく算出処理が必要とされない。従って、端末Ｔ及び表示制御装置１０における処理負荷の軽減が可能となる。また、ＧＰＳ装置により取得される位置情報の精度に関わらず、コンテンツ関連情報を好適な位置に表示させることが可能となる。
【００７２】
なお、図７及び図８では、表示画面ＤＳにおけるコンテンツ関連情報の表示位置のＸ座標の算出を説明した。即ち、図７及び図８の例では、端末Ｔの向き（端末Ｔのヨー角）をθｕｓｅｒとして、Ｘ座標の値をθｕｓｅｒの関数として算出した。これに対して、表示画面ＤＳにおけるコンテンツの表示位置のＹ座標は、端末Ｔの傾き（端末Ｔのピッチ角）の関数として算出できる。即ち、図７及び図８の説明において、表示画面ＤＳの横方向に沿って設定されたＸ軸を、表示画面ＤＳの縦方向に沿うＹ軸に置き換え、且つ端末Ｔの向き（端末Ｔのヨー角）（θｕｓｅｒ）を端末Ｔの傾き（端末Ｔのピッチ角）に置き換えることにより、表示位置のＹ座標は、端末Ｔの傾きの関数として算出できる。図７及び図８を参照して説明したＸ座標の算出の例をＹ座標の算出に置き換えることは当業者が通常に有する知見により容易であるので、Ｙ座標の算出の具体的な説明は省略する。
【００７３】
なお、以上の説明では、表示画面ＤＳの背面方向の向きを示す角度θｗａｌｌを既知の値としているが、算出部１３は、複数の端末Ｔから取得した姿勢情報に基づいて、表示画面の向きを示す角度θｗａｌｌを算出してもよい。具体的には、算出部１３は、複数の端末Ｔの姿勢情報に含まれる端末Ｔの向きを示す角度θｕｓｅｒを取得し、角度θｕｓｅｒの平均値を角度θｗａｌｌとしてもよい。そして、算出部１３は、算出した角度θｗａｌｌと各端末Ｔの向きを示す角度θｕｓｅｒに基づいて、各端末Ｔの表示画面ＤＳに対する相対的な向きと示す角度θｃｕｒｓｏｒを算出してもよい。これにより、複数の端末Ｔの姿勢情報に基づいて表示画面ＤＳの向きが算出されるので、表示画面ＤＳの向きをシステムに予め設定する必要がない。従って、表示画面ＤＳの向きに関する情報の入力の手間が軽減されると共に、入力された情報を記憶するための記憶手段が不要となる。
【００７４】
次に、図９を参照して、表示画面ＤＳにおいてコンテンツ関連情報を表示させない領域である表示禁止領域の設定、及び表示禁止領域を考慮した表示制御について説明する。本実施形態の表示制御システム１では、表示画面ＤＳ上に物体を設けることができる。図９に示す例では、例えば、本である商品Ｂ１，Ｂ２が表示画面ＤＳ上に設けられている。設定部１４は、表示画面ＤＳ状において、商品Ｂ１，Ｂ２に対応する物体領域を表示禁止領域として設定する。物体領域に関する情報は、例えば、システムの管理者等により入力されることとしてもよい。また、表示画面ＤＳを撮像する撮像手段を設けて、撮像手段により撮像された表示画面ＤＳの画像から物体を抽出し、表示画面ＤＳと撮像手段との位置関係等に基づいて物体領域が算出されることとしてもよい。入力または算出された物体領域に関する情報、設定された表示禁止領域に関する情報は、設定情報記憶部１７に記憶される。
【００７５】
図９では、表示禁止領域が設定されない場合において算出部１３により算出された表示位置に基づいて表示されたコンテンツ関連情報Ｃ２０が示されている。表示制御部１５は、表示禁止領域以外の領域にコンテンツ関連情報を表示させるように、算出部１３により算出された表示位置を調整する。表示制御部１５は、表示禁止領域に関する情報を設定情報記憶部１７から取得する。表示制御部１５は、例えば、コンテンツ関連情報Ｃ２１に示すように、カーソルＣＲ２１の位置である基準位置からみた算出部１３により算出された表示位置の方向に、コンテンツ関連情報が表示禁止領域に重ならない位置までコンテンツ関連情報の表示位置をシフトさせる。また、表示制御部１５は、コンテンツ関連情報Ｃ２２に示すように、表示画面ＤＳ上において表示禁止領域でない領域を探索して、コンテンツ関連情報の表示位置を調整してもよい。
【００７６】
このようにコンテンツ関連情報の表示位置を調整することにより、コンテンツ関連情報が表示禁止領域以外に表示される。これにより、コンテンツ関連情報を表示させたくない所望の領域にコンテンツ関連情報を表示させないことにより、コンテンツ関連情報の視認性の向上を図ることができる。また、表示画面上に物体を配置させ、当該物体に対応する領域が表示禁止領域として設定されるので、コンテンツ関連情報を物体に重畳させないで表示させることが可能となる。
【００７７】
図１０を参照して、表示画面ＤＳ上に設けられた物体の厚みに起因して、ユーザから視認不可能になる領域を表示禁止領域として設定する設定処理を説明する。図１０に示す例では、例えば、本である商品Ｂ１，Ｂ２が表示画面ＤＳ上に設けられており、表示画面ＤＳに対して垂直方向の商品Ｂ１の厚みに起因してユーザＵ１にとって視認不可能となる遮蔽領域Ｈが発生する。設定部１４は、遮蔽領域Ｈを、さらに表示禁止領域として設定する。
【００７８】
遮蔽領域Ｈは、表示画面ＤＳ上において商品Ｂ１に対応する表示禁止領域に隣接して発生し、図１０の例では、商品Ｂ１に左側に隣接して発生する。遮蔽領域Ｈの縦方向の長さは、例えば、商品Ｂ１の縦方向の長さと略同等である。商品Ｂ１の縦方向の長さ及び厚みの情報は、例えばシステムの管理者等により予め入力されることとしてもよいし、商品Ｂ１の情報を有する電子商取引サーバ５０等から取得されてもよい。
【００７９】
ここで、図１１を参照して、遮蔽領域の横方向の長さｌ２の算出の例を説明する。図１１に示す例では、表示画面ＤＳ上に商品Ｂが設けられている。商品Ｂは、厚みｄｏｂｊを有する。また、表示画面ＤＳに垂直な方向に対する、端末Ｔからみたカーソルの位置ＰＣＲの方向を角度θ１とし、表示画面ＤＳに垂直な方向に対する、端末Ｔからみた遮蔽領域Ｈの右端部の方向を角度θ２とする。ここで、遮蔽領域の横方向の長さｌ２は、以下の式（７）で表される。
ｌ２＝ｄｏｂｊ・ｔａｎθ２  ・・・（７）
【００８０】
さらに、端末Ｔの位置のＸ座標から商品Ｂを指定するカーソルの位置ＰＣＲのＸ座標までの長さをｘｕｓｅｒとし、カーソルの位置ＰＣＲから商品Ｂの右端部までの長さをｘｏｂｊとする。そして、端末Ｔから表示画面ＤＳまでの距離をｄｕｓｅｒとすると、角度θ２は、以下の式（８）により表される。
θ２≒ｔａｎ−１（（ｘｕｓｅｒ＋ｘｏｂｊ）／ｄｕｓｅｒ）  ・・・（８）
従って、式（７）及び式（８）より、遮蔽領域の横方向の長さｌ２は、以下の式（９）により算出される。
ｌ２＝ｄｏｂｊ・ｔａｎ（ｔａｎ−１（（ｘｕｓｅｒ＋ｘｏｂｊ）／ｄｕｓｅｒ））  ・・・（９）
なお、ｄｕｓｅｒの値は、例えば、端末Ｔにより撮像される表示画面ＤＳ上の文字の大きさ等に基づいて推測可能である。また、ｘｕｓｅｒの値は、例えば、ｄｕｓｅｒｔａｎθ１の値の算出により得られる。
【００８１】
また、長さｘｏｂｊ及び長さｌ２に比べて、端末Ｔから表示画面ＤＳまでの距離が十分に大きい場合には、角度θ１は角度θ２と略等しい。また、角度θ１には、図７を参照して説明した、端末Ｔの向きを示す角度θｃｕｒｓｏｒの値を適用できる。従って、式（７）より、長さｌ２は以下の式（１０）のように表される。
ｌ２＝ｄｏｂｊ・ｔａｎθ１  ＝ｄｏｂｊ・ｔａｎθｃｕｒｓｏｒ  ・・・（１０）
【００８２】
再び図１０を参照して、設定部１４は、以上説明したように算出された遮蔽領域Ｈの横の長さｌ２を用いて遮蔽領域Ｈが設定し、設定された遮蔽領域Ｈをさらに表示禁止領域として設定する。図１０では、遮蔽領域Ｈを表示禁止領域に含めない場合において表示されたコンテンツ関連情報Ｃ３０が示されている。表示制御部１５は、表示禁止領域以外の領域にコンテンツ関連情報を表示させるように、算出部１３により算出された表示位置を調整する。表示制御部１５は、例えば、コンテンツ関連情報Ｃ３１に示すように、コンテンツ関連情報Ｃ３０の表示位置を、コンテンツ関連情報が表示禁止領域に重ならない位置までシフトさせる。
【００８３】
このように、表示画面上に配置された物体の厚みに起因して表示画面上においてユーザから視認不可能となる領域以外にコンテンツ関連情報が表示されるように制御されるので、コンテンツ関連情報の視認性が向上される。
【００８４】
なお、表示制御部１５は、複数のコンテンツ関連情報を表示させる場合に、コンテンツ関連情報が表示画面ＤＳ上において互いに重ならないようにコンテンツ関連情報の表示位置を調整することとしてもよい。このように表示位置が調整されることにより、一のコンテンツ関連情報の上に他のコンテンツ関連情報が重畳されることがないので、各コンテンツ関連情報の視認性が向上される。
【００８５】
次に、図１２を参照して、本実施形態の表示制御方法について説明する。図１２は、表示制御システム１における表示制御方法の処理内容の例を示すフローチャートである。
【００８６】
まず、表示制御部１５は、例えば商品画像の一覧のようなコンテンツを表示装置Ｄの表示画面ＤＳ（デジタルサイネージ）に表示させる（Ｓ１）。続いて、ユーザによる端末Ｔの操作により表示画面ＤＳに表示されたカーソルが操作され、カーソルによりコンテンツ（商品画像）が選択されると、指示情報取得部１２は、端末Ｔからコンテンツを選択する指示情報を取得する（Ｓ２）。さらに、取得部１１は、端末Ｔの向き及び傾きを示す姿勢情報を端末Ｔから取得する。
【００８７】
次に、算出部１３は、選択されたコンテンツに関連するコンテンツ関連情報（例えば選択された商品画像に関連する情報）の表示位置を算出する（Ｓ３）。そして、表示制御部１５は、選択されたコンテンツに関連するコンテンツ関連情報を、ステップＳ３において算出された表示位置に表示させる（Ｓ４）。
【００８８】
次に、図１３を参照して、コンピュータを表示制御装置１０として機能させるための表示制御プログラムを説明する。表示制御プログラムｐ１は、メインモジュールｍ１０、取得モジュールｍ１１、指示情報取得モジュールｍ１２、算出モジュールｍ１３、設定モジュールｍ１４及び表示制御モジュールｍ１５を備える。
【００８９】
メインモジュールｍ１０は、表示制御処理を統括的に制御する部分である。取得モジュールｍ１１、指示情報取得モジュールｍ１２、算出モジュールｍ１３、設定モジュールｍ１４及び表示制御モジュールｍ１５を実行することにより実現される機能はそれぞれ、図２に示される表示制御装置１０の取得部１１、指示情報取得部１２、算出部１３、設定部１４及び表示制御部１５の機能と同様である。
【００９０】
表示制御プログラムｐ１は、例えば、ＣＤ−ＲＯＭやＤＶＤ−ＲＯＭまたは半導体メモリ等の記憶媒体ｄ１によって提供される。また、表示制御プログラムｐ１は、搬送波に重畳されたコンピュータデータ信号として通信ネットワークを介して提供されてもよい。
【００９１】
以上説明した本実施形態の表示制御システム１、表示制御方法及び表示制御プログラムｐ１によれば、ユーザが操作する端末Ｔの向き及び傾き並びに表示画面ＤＳの向きに基づいて、コンテンツ関連情報の適切な表示位置が算出される。表示位置は、所定の基準位置からオフセットされた位置であるので、コンテンツ関連情報をユーザに視認しやすい位置に表示させることが可能となる。
【００９２】
以上、本発明をその実施形態に基づいて詳細に説明した。しかし、本発明は上記実施形態に限定されるものではない。本発明は、その要旨を逸脱しない範囲で様々な変形が可能である。
【００９３】
実施形態では、上記実施形態では、指示情報取得部１２及び設定部１４が表示制御装置１０に備えられることとしたが、これらの機能部は、本実施形態において必須の構成要素ではない。
【符号の説明】
【００９４】
１…表示制御システム、１０…表示制御装置、１１…取得部、１２…指示情報取得部、１３…算出部、１４…設定部、１５…表示制御部、１７…設定情報記憶部、３１…指示入力受付部、３２…姿勢情報取得部、３３…送信部、３４…表示制御部、５０…電子商取引サーバ、Ｄ…表示装置、ｄ１…記憶媒体、ＤＳ…表示画面、Ｈ…遮蔽領域、ｍ１０…メインモジュール、ｍ１１…取得モジュール、ｍ１２…指示情報取得モジュール、ｍ１３…算出モジュール、ｍ１４…設定モジュール、ｍ１５…表示制御モジュール、Ｎ…ネットワーク、ｐ１…表示制御プログラム、Ｔ…端末。
【図１】
2017154114.tif 000003
【図２】
2017154114.tif 000004
【図３】
2017154114.tif 000005
【図４】
2017154114.tif 000006
【図５】
2017154114.tif 000007
【図６】
2017154114.tif 000008
【図７】
2017154114.tif 000009
【図８】
2017154114.tif 000010
【図９】
2017154114.tif 000011
【図１０】
2017154114.tif 000012
【図１１】
2017154114.tif 000013
【図１２】
2017154114.tif 000014
【図１３】
2017154114.tif 000015
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
ユーザが操作する端末と別に設けられ、該ユーザにより視認可能な表示画面にコンテンツを表示させる表示制御システムであって
前記ユーザが操作する端末の向き及び傾きを含む姿勢情報を取得する取得手段と、
前記姿勢情報及び前記表示画面の向きに基づいて、前記コンテンツに関連するコンテンツ関連情報の表示位置を算出する算出手段と、
前記表示画面に前記コンテンツを表示させつつ、前記表示画面における、前記算出手段により算出された前記表示位置に前記コンテンツ関連情報を表示させる表示制御手段と、
を備える表示制御システム。
【請求項２】
前記算出手段は、前記姿勢情報及び前記表示画面の向きに基づいて、所定の基準位置からのオフセットを含む表示位置を算出する、
請求項１に記載の表示制御システム。
【請求項３】
前記表示位置は、前記基準位置より前記端末の位置に近い位置である、請求項２に記載の表示制御システム。
【請求項４】
前記算出手段は、前記端末の位置情報を用いずに前記表示位置を算出する、請求項２または３に記載の表示制御システム。
【請求項５】
前記表示画面における位置を示すための指示情報を前記端末から取得する指示情報取得手段、をさらに備え、
前記算出手段は、前記表示画面に予め配置された１以上のコンテンツ領域のうち、前記指示情報に基づき選択されたコンテンツ領域に対応するコンテンツ関連情報の表示位置を算出し、
前記表示制御手段は、前記指示情報に基づき選択されたコンテンツ領域に対応するコンテンツ関連情報を、前記算出手段により算出された前記表示位置に表示させる、
請求項２〜４のいずれか一項に記載の表示制御システム。
【請求項６】
前記基準位置は、前記指示情報により規定される、
請求項５に記載の表示制御システム。
【請求項７】
前記基準位置は、前記指示情報により制御されるカーソルの位置、または、前記カーソルにより指定された前記コンテンツ領域の位置である、
請求項６に記載の表示制御システム。
【請求項８】
前記表示画面における、前記コンテンツ関連情報を表示させない領域である表示禁止領域を設定する設定手段をさらに備え、
前記表示制御手段は、前記表示禁止領域以外の領域に前記コンテンツ関連情報を表示させるように前記表示位置を調整する、
請求項１〜７のいずれか一項に記載の表示制御システム。
【請求項９】
前記設定手段は、前記表示画面における、前記表示画面上に設けられた物体に対応する物体領域を前記表示禁止領域として設定する
請求項８に記載の表示制御システム。
【請求項１０】
前記設定手段は、前記物体領域に加えて、前記表示画面上において、前記表示画面に対して垂直方向の前記物体の厚みに起因して前記端末の位置から視認不可能になる領域である遮蔽領域を、さらに前記表示禁止領域として設定する、
請求項９に記載の表示制御システム。
【請求項１１】
前記表示制御手段は、前記コンテンツ関連情報が前記表示画面上において互いに重ならないようにコンテンツ関連情報の表示位置を調整する、
請求項１〜１０のいずれか一項に記載の表示制御システム。
【請求項１２】
前記算出手段は、複数の前記端末から取得した姿勢情報に基づいて、前記表示画面の向きを算出し、算出した表示画面の向きに基づいて、前記端末の前記表示画面に対する相対的な向きを算出する、
請求項１〜１１のいずれか一項に記載の表示制御システム。
【請求項１３】
ユーザが操作する端末と別に設けられ、該ユーザにより視認可能な表示画面にコンテンツを表示させる表示制御システムにおける表示制御方法であって、
前記ユーザが操作する端末の向き及び傾きを含む姿勢情報を取得する取得ステップと、
前記姿勢情報及び前記表示画面の向きに基づいて、前記コンテンツに関連するコンテンツ関連情報の表示位置を算出する算出ステップと、
前記表示画面に前記コンテンツを表示させつつ、前記表示画面における、前記算出ステップにおいて算出された前記表示位置に前記コンテンツ関連情報を表示させる表示制御ステップと、
を有する表示制御方法。
【請求項１４】
コンピュータを、ユーザが操作する端末と別に設けられ、該ユーザにより視認可能な表示画面にコンテンツを表示させる表示制御システムとして機能させる表示制御プログラムであって、
前記ユーザが操作する端末の向き及び傾きを含む姿勢情報を取得する取得手段、
前記姿勢情報及び前記表示画面の向きに基づいて、前記コンテンツに関連するコンテンツ関連情報の表示位置を算出する算出手段、及び、
前記表示画面に前記コンテンツを表示させつつ、前記表示画面における、前記算出手段により算出された前記表示位置に前記コンテンツ関連情報を表示させる表示制御手段、
として機能させる表示制御プログラム。
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
ユーザが操作する端末と別に設けられ、該ユーザにより視認可能な表示画面にコンテンツを表示させる表示制御システムであって
前記ユーザが操作する端末の向き及び傾きを含む姿勢情報を取得する取得手段と、
前記姿勢情報及び前記表示画面の向きに基づいて、前記コンテンツに関連するコンテンツ関連情報の表示位置を算出する算出手段と、
前記表示画面における、前記コンテンツ関連情報を表示させない領域である表示禁止領域を設定する設定手段と、
前記表示画面に前記コンテンツを表示させつつ、前記表示画面における、前記算出手段により算出された前記表示位置に前記コンテンツ関連情報を表示させ、前記表示禁止領域以外の領域に前記コンテンツ関連情報を表示させるように前記表示位置を調整する表示制御手段と、を備え、
前記設定手段は、前記表示画面における、前記表示画面上に設けられた物体に対応する物体領域を前記表示禁止領域として設定し、前記物体領域に加えて、前記表示画面上において、前記表示画面に対して垂直方向の前記物体の厚みに起因して前記端末の位置から視認不可能になる領域である遮蔽領域を、さらに前記表示禁止領域として設定する、
表示制御システム。
【請求項２】
前記算出手段は、前記姿勢情報及び前記表示画面の向きに基づいて、所定の基準位置からのオフセットを含む表示位置を算出する、
請求項１に記載の表示制御システム。
【請求項３】
前記表示位置は、前記基準位置より前記端末の位置に近い位置である、請求項２に記載の表示制御システム。
【請求項４】
前記算出手段は、前記端末の位置情報を用いずに前記表示位置を算出する、請求項２または３に記載の表示制御システム。
【請求項５】
前記表示画面における位置を示すための指示情報を前記端末から取得する指示情報取得手段、をさらに備え、
前記算出手段は、前記表示画面に予め配置された１以上のコンテンツ領域のうち、前記指示情報に基づき選択されたコンテンツ領域に対応するコンテンツ関連情報の表示位置を算出し、
前記表示制御手段は、前記指示情報に基づき選択されたコンテンツ領域に対応するコンテンツ関連情報を、前記算出手段により算出された前記表示位置に表示させる、
請求項２〜４のいずれか一項に記載の表示制御システム。
【請求項６】
前記基準位置は、前記指示情報により規定される、
請求項５に記載の表示制御システム。
【請求項７】
前記基準位置は、前記指示情報により制御されるカーソルの位置、または、前記カーソルにより指定された前記コンテンツ領域の位置である、
請求項６に記載の表示制御システム。
【請求項８】
前記表示制御手段は、前記コンテンツ関連情報が前記表示画面上において互いに重ならないようにコンテンツ関連情報の表示位置を調整する、
請求項１〜７のいずれか一項に記載の表示制御システム。
【請求項９】
前記算出手段は、複数の前記端末から取得した姿勢情報に基づいて、前記表示画面の向きを算出し、算出した表示画面の向きに基づいて、前記端末の前記表示画面に対する相対的な向きを算出する、
請求項１〜８のいずれか一項に記載の表示制御システム。
【請求項１０】
ユーザが操作する端末と別に設けられ、該ユーザにより視認可能な表示画面にコンテンツを表示させる表示制御システムにおける表示制御方法であって、
前記ユーザが操作する端末の向き及び傾きを含む姿勢情報を取得する取得ステップと、
前記姿勢情報及び前記表示画面の向きに基づいて、前記コンテンツに関連するコンテンツ関連情報の表示位置を算出する算出ステップと、
前記表示画面における、前記コンテンツ関連情報を表示させない領域である表示禁止領域を設定する設定ステップと、
前記表示画面に前記コンテンツを表示させつつ、前記表示画面における、前記算出ステップにおいて算出された前記表示位置に前記コンテンツ関連情報を表示させ、前記表示禁止領域以外の領域に前記コンテンツ関連情報を表示させるように前記表示位置を調整する表示制御ステップと、を有し、
前記設定ステップにおいて、前記表示画面における、前記表示画面上に設けられた物体に対応する物体領域を前記表示禁止領域として設定し、前記物体領域に加えて、前記表示画面上において、前記表示画面に対して垂直方向の前記物体の厚みに起因して前記端末の位置から視認不可能になる領域である遮蔽領域を、さらに前記表示禁止領域として設定する、
表示制御方法。
【請求項１１】
コンピュータを、ユーザが操作する端末と別に設けられ、該ユーザにより視認可能な表示画面にコンテンツを表示させる表示制御システムとして機能させる表示制御プログラムであって、
前記ユーザが操作する端末の向き及び傾きを含む姿勢情報を取得する取得手段、
前記姿勢情報及び前記表示画面の向きに基づいて、前記コンテンツに関連するコンテンツ関連情報の表示位置を算出する算出手段、
前記表示画面における、前記コンテンツ関連情報を表示させない領域である表示禁止領域を設定する設定手段、及び、
前記表示画面に前記コンテンツを表示させつつ、前記表示画面における、前記算出手段により算出された前記表示位置に前記コンテンツ関連情報を表示させ、前記表示禁止領域以外の領域に前記コンテンツ関連情報を表示させるように前記表示位置を調整する表示制御手段、として機能させ、
前記設定手段は、前記表示画面における、前記表示画面上に設けられた物体に対応する物体領域を前記表示禁止領域として設定し、前記物体領域に加えて、前記表示画面上において、前記表示画面に対して垂直方向の前記物体の厚みに起因して前記端末の位置から視認不可能になる領域である遮蔽領域を、さらに前記表示禁止領域として設定する、
表示制御プログラム。
【国際調査報告】
2017154114.tif 000016
2017154114.tif 000017
2017154114.tif 000018
2017154114.tif 000019